(57)【要約】【課題】縦葺き外装材の流れ方向の重合部を上方から押さえ込むことで、縦葺き外装材端部の浮き上がりを防ぎ、意匠性、雨仕舞性に優れた縦葺き外装材の接続を得ることができる外装構造連続波状を呈する外装材及び外装構造を提供する。【解決手段】本発明の外装構造は、下地４へ取り付けられる保持部材２に、面板部１１と少なくとも側縁に成形部１３を設けた立ち上げ部１２とを有する縦葺き外装材１を保持させて山部と谷部とが形成されると共に、流れ方向に隣接する縦葺き外装材１，１同士の端部（１４，１５）を重合させて接続した外装構造であって、前記縦葺き外装材１の敷設状態において形成される２つの山部間に形成される谷部に配設される押さえ材５を嵌め付けることにより、押さえ材５の押圧部５１で縦葺き外装材１の重合させた端部（１４，１５）を上方から押圧状に保持するようにしたことを特徴とする。【選択図】図１
2010168760.tif 000002
【特許請求の範囲】
【請求項１】
下地へ取り付けられる保持部材に、面板部と少なくとも側縁に成形部を設けた立ち上げ部とを有する縦葺き外装材を保持させて山部と谷部とが形成されると共に、流れ方向に隣接する縦葺き外装材同士の端部を重合させて接続した外装構造であって、
前記縦葺き外装材の敷設状態において形成される２つの山部間に位置する谷部に配設される押さえ材を嵌め付けることにより、押さえ材の押圧部で縦葺き外装材の重合させた端部を上方から押圧状に保持するようにしたことを特徴とする外装構造。
【請求項２】
押さえ材の端部に山部の上方へ臨む接続縦片を延設し、隣り合う押さえ材の前記接続縦片を重合してボルト締めしたことを特徴とする請求項１に記載の外装構造。
【請求項３】
山部にて押さえ材をビス固定し、その上方からキャップ材を嵌め付けたことを特徴とする請求項１に記載の外装構造。
【発明の詳細な説明】
【技術分野】
【０００１】
本発明は、縦葺き外装材の流れ方向の重合部を上方から押さえ込むことで、外装材端部の浮き上がりを防ぎ、意匠性、雨仕舞性に優れた縦葺き外装材の接続を得ることができる外装構造に関する。
【背景技術】
【０００２】
山部、谷部が交互に連続する「折板」は、その多くが施工現場に成形機を持ち込んで成形する現場成形を行い、成形された折板を敷設する方法が採られている。
しかし、このような現場成形では、建築物のそばに成形機を設置する広い面積（成形ステージ等）が必要であり、また成形機や重機等の搬入路も必要であり、建築物の周囲の建築環境に大きな制限を受けることが多い。
【０００３】
一方、一定長さの縦葺き外装材を工場で成形し、現場にて接続する方法（例えば特許文献１）も提案されている。
この定尺な縦葺き外装材は、流れ方向の両端に重合部、被重合部を形成して重合接続するものであるが、重合部、被重合部の形状が複雑であるため、製造コストの上昇は避けられないという問題があった。
また、縦葺き外装材の端部に特別な加工を施さずに重合するもの（例えば特許文献２）も提案されている、
この提案における接続構造は、重合部をビス止めしたものであるため、ビス止め部分からの雨水の浸入が起こり、雨仕舞の問題が生じていた。
【先行技術文献】
【特許文献】
【０００４】
【特許文献１】特公平６−２７４２２号公報
【特許文献２】特許第３１９６５６０号公報
【発明の概要】
【発明が解決しようとする課題】
【０００５】
そこで、本発明は、前述の従来方法（構造）における問題を生ずることがなく、すなわち重合部、被重合部が簡易形状であり、雨仕舞性にも優れている外装構造を提供することを目的とする。
【課題を解決するための手段】
【０００６】
本発明は、上記に鑑み提案されたもので、下地へ取り付けられる保持部材に、面板部と少なくとも側縁に成形部を設けた立ち上げ部とを有する縦葺き外装材を保持させて山部と谷部とが形成されると共に、流れ方向に隣接する縦葺き外装材同士の端部を重合させて接続した外装構造であって、前記縦葺き外装材の敷設状態において形成される２つの山部間に位置する谷部に配設される押さえ材を嵌め付けることにより、押さえ材の押圧部で縦葺き外装材の重合させた端部を上方から押圧状に保持するようにしたことを特徴とする外装構造に関するものである。
【０００７】
また、本発明は、上記外装構造において、押さえ材の端部に山部の上方へ臨む接続縦片を延設し、隣り合う押さえ材の前記接続縦片を重合してボルト締めしたことを特徴とする外装構造をも提案する。
【０００８】
さらに、本発明は、上記外装構造において、山部にて押さえ材をビス固定し、その上方からキャップ材を嵌め付けたことを特徴とする外装構造をも提案するものである。
【発明の効果】
【０００９】
本発明の外装構造は、山部と谷部とが形成される外装構造において、流れ方向に隣接する縦葺き外装材の重合部分を、押さえ材の押圧部で上方から押圧状に保持することにより、重合部分における縦葺き外装材端部の浮き上がりを防ぎ、意匠性、雨仕舞に優れた縦葺き外装材の接続を得ることができる。
【００１０】
また、押さえ材の端部に山部の上方へ臨む接続縦片を延設し、隣り合う押さえ材の前記接続縦片を併せてボルト締めするようにした場合、隣り合う押さえ材を強固に連結することができ、前記重合部分を上方から押圧して縦葺き外装材端部の浮き上がりを防ぐという作用を確実に行うことができる。
【００１１】
さらに、山部にて押さえ材をビス固定し、その上方からキャップ材を嵌め付けるようにした場合、押さえ材を外装構造に強固に固定することができ、前記重合部分を上方から押圧して縦葺き外装材端部の浮き上がりを防ぐという作用を確実に行うことができる。
【図面の簡単な説明】
【００１２】
【図１】（ａ）本発明の外装構造の一実施例を示す正面図、（ｂ）それに用いた取り付け材を示す断面図、（ｃ）それに用いた押さえ材を示す断面図である。
【図２】（ａ）本発明の外装構造の他の一実施例を示す正面図、（ｂ）それに用いた押さえ材を示す断面図、（ｃ）ビス固定部分を示す平面図、（ｄ）折返し部を部分的に切除したキャップ材を示す断面図である。
【図３】（ａ）ベースとなる外装構造を構成する保持部材を示す正面図、（ｂ）外装材を示す正面図、（ｃ）キャップ材を示す正面図である。
【発明を実施するための形態】
【００１３】
本発明の外装構造に適用される縦葺き外装材（以下、単に外装材という）は、「面板部と少なくとも側縁に成形部を設けた立ち上げ部とを有する」構成であるため、この外装材の敷設状態において、少なくとも一つの山部が形成される構成であり、面板部が谷部となる構成である。そして、左右対称、非対称を問うものではなく、例えば後述する図示実施例では外装面（屋根面）を左右対称の外装材とキャップで構成しているが、外装材はキャップ一体のものを用いてもよい。また、図示実施例では嵌合式の外装材、保持部材（タイトフレーム）を用いたが、その敷設方法（取付態様）は嵌合に限定されるものではなく、横架材を締着可能な態様であれば、重ね式、ハゼ締め等のその他の公知の敷設方法であってもよい。
【００１４】
また、外装材は、「流れ方向に隣接する外装材同士の端部を重合させて接続」するものであり、流れ方向の上流に位置して隣接する外装材の端部を上側に重ねる重合部とし、下流に位置する外装材の端部を下側に重ねられる被重合部とする。
【００１５】
押さえ材は、前記「外装材の敷設状態において形成される少なくとも２つの山部間に位置する谷部に配設される」ものであって、「押さえ材の押圧部で外装材の重合させた端部を上方から押圧状に保持する」構成であれば、その詳細な構成並びに形状は特に限定するものではない。例えばこの押さえ材は、単一部材からなるものでもよいし、溶接やボルト締着等の公知の手段で複数部材を一体化したものでもよい。特に成型の容易性や成型コストから、フラットバーを折曲加工したものなどの帯状材を用いてもよい。
【００１６】
前記押さえ材の第１の態様としては、例えば後述する図１に示される図示実施例のように、押さえ材の端部に山部の上方へ臨む接続縦片を延設した構成とし、隣り合う押さえ材の前記接続縦片を重合してボルト締めすることにより、隣り合う押さえ材を強固に連結するようにしてもよい。
この場合、外装構造への取り付けを強固にするため、図示実施例のように外装構造の嵌合受部に嵌合する取り付け材を配し、押さえ材のボルト締めの際に前記取り付け材も同時に固定することにより、外装構造への強固な取り付けが果たされる。或いは、外装構造の嵌合受部に嵌合する嵌合部を押さえ材自体に設けるようにしてもよい。すなわち押さえ部材は、一部材にてからなるものでも、取り付け部材との二部材からなるものでもよく、外装構造の嵌合受部に嵌合する嵌合部は、押さえ材（本体）に設けるものでも取り付け部材に設けるものでもよい。
したがって、この態様における前記外装材は、上記押さえ部材が係止又は嵌合可能な嵌合受部を成形部又は立ち上げ部に備える。
【００１７】
前記押さえ材の第２の態様としては、例えば後述する図２に示される図示実施例のように、山部にて押さえ材をビス固定し、押さえ材を外装構造に強固に固定するようにしてもよい。この場合、押さえ材の固定作業の後に、その上方からキャップ材を嵌め付け、押さえ材の固定部分などからの雨水の浸入を阻止する。この場合、前記第１の態様のように、取り付け材を用いなくても前記ビス固定により外装構造への強固な取り付けが果たされるので、相対的に部材点数が少ないものとなる。
【００１８】
前記押さえ材は、外装材の重合部分（重合部及び被重合部）を押圧部にて上方から押圧して保持（浮き上がり防止）するものであるが、さらに外設部材としての雪止め材としても機能（兼用）させることができる。この場合の押圧部は、外装材の面板部を流れる雨水の排水経路を堰き止めない形状であれば、どのような形状の雪止め部分が上方へ向かって設けられていてもよい。
また、押さえ部材は、押圧部を角波状等にすることで雪止め部を設けるものでもよく、その態様は、押さえ部材の断面形状を外装材の断面形状と非相似形とすることで、外装材に沿わない部分が雪止め部として作用することになる。
また、外装材の接続部分における谷部の裏面に相当する位置に、弾性機能を有する支持部材を配してもよい。弾性機能を有する材料としては、例えば樹脂発泡体（樹脂フォーム）等を用いればよい。
【００１９】
このように本発明の外装構造は、流れ方向に隣接する外装材の重合部分を、押さえ材の押圧部で上方から押圧状に保持して接続するという構成（接続構造）に特徴を有するものであって、接続部分である重合部分における外装材端部の浮き上がりが防がれ、意匠性、雨仕舞に優れた接続構造が得られる。
【実施例】
【００２０】
図１に示す外装構造に用いた縦葺き外装材（以下、単に外装材という）１は、図３（ｂ）に示すように略平坦状の面板部１１の左右の側縁に左右対称の傾斜状の立ち上げ部１２，１２を有する構成であり、この立ち上げ部１２には、後述する保持部材２に嵌合状に取り付けるための成形部１３が設けられている。具体的には成形部１３には、面板部１１側の高さの途中のみに、保持部材２の被嵌合部２１に嵌合保持される略く字状の凸状嵌合部１３１を備え、該凸状嵌合部１３１の上方に、保持部材２の受支材２Ｂに被覆状に嵌合保持される被覆嵌合部１３２を備え、さらに被覆嵌合部１３２の先端には、保持部材２の受支材２Ｂの略中央上端に形成された溝部２０１に上方から嵌合状に係合させる断面略Ｕ字状の係合部１３３を有する構成である。なお、前記凸状嵌合部１３１は、外側へ突出する形状を有するが、その裏面側の凹状嵌合受部１３４に後述するキャップ材３の折返し部３２が嵌合する構成である。
【００２１】
この外装材１は、代表的には概ね０.４〜１.６mm程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。これらは殆ど長尺なコイル状形態で供給される。そして、上記各種の長尺なコイル状の金属材料を定尺切断する等して、一定幅で所定長さの金属板材を作成し、これを成形材料としたものであり、左右の側縁にはロール成形等により前述の形状となるように成形を施すが、流れ方向の端部となる端縁には、前述の特許文献２に記載の発明と同様に、特別な加工を施さずに重合してもよい。但し、特許文献２では、重合部分をビス止めしたが、本発明では雨水の浸入を起こすビス止めは当該重合部分では決して行わない。
【００２２】
前記外装材１を取り付けるための保持部材２は、図３（ａ）に示すように略左右対称の部材であって、下地４に固定する略門型のタイトフレーム２Ａと、該タイトフレーム２Ａの略中央の横片に下方からボルトナットにて留め付けた受支材２Ｂとからなる。
タイトフレーム２Ａは、例えば短幅の帯状鋼材を折り曲げ成形してなり、略中央の横片から左右に脚部２３，２３を有し、各脚部２３の下端に下面が下地４と接する固定部２４が設けられている。
受支材２Ｂは、略垂直状に起立する受支面２０，２０を前後に有する側断面略Ｕ字状のピース材であり、各受支面２０の下方には左右に張り出した部分が形成され、その下方が前記外装材１の凸状嵌合部１３１が嵌合する被嵌合部２１である。また、受支面２０の上縁を前後方向に折り曲げて支持部（面）２２とし、前記外装材１の被覆嵌合部１３２の被嵌状の保持を安定に行えるようにしている。さらに、この受支面２０の略中央上端には、前記外装材１の断面略Ｕ字状の係合部１３３を上方から嵌合可能な矩形状の溝部２０１が設けられている。
【００２３】
前記外装材１と共に外装面を形成するキャップ材３は、図３（ｃ）に示すように左右方向に隣接する外装材１，１の成形部１３，１３間に配設されるものであって、前記外装材１と同様な素材から成形されるものであり、略傘状の化粧部３１の左右の側縁に設けた折返し部３２を前記外装材１の凸状嵌合部１３１の裏面（凹状嵌合受部１３４）に嵌合させて取り付けられる。
【００２４】
これらの部材により形成される外装構造では、面板部１１が谷部となり、左右の外装材１，１の接続部分にて１つの山部が形成される構成である。
そして、図示実施例では、下地４に固定した保持部材２に外装材１を敷設する際に、凸状嵌合部１３１を被嵌合部２１に嵌合させ、被覆嵌合部１３２を受支材２Ｂに被覆状に嵌合させ、係合部１３３を溝部２０１に係合させて完全弾性嵌合させてもよいし、図示するように被覆嵌合部１３２を支持部（面）２２にビス止め（ビス１６）する方法を併用するようにしてもよい。
また、流れ方向の接続に関し、上流に位置して隣接する外装材１の端部を上側に重ねる重合部１４とし、下流に位置して隣接する外装材１の端部を下側に重ねられる被重合部１５とする。
【００２５】
本発明の特徴は、前述のような構成の外装材１の敷設状態において形成される２つの山部，間に位置する谷部に配設される押さえ材５を嵌め付けることにより、押さえ材５に設けた押圧部５１が外装材１の重合部分（１４，１５）を上方から押圧するようにした点にある。
【００２６】
図１に示す外装構造に用いた押さえ材５は、図１（ｃ）に示すように２つの山部に達する長さを有し、谷部の底面を形成する面板部１１に臨む押圧部５１を備える構成である。図示実施例の押さえ材５は、帯状鋼材を適宜に折曲加工して成形したものであって、略中央に位置する押圧部５１の左右端に傾斜状に立ち上がる傾斜面部５２，５２を有し、その上端には、二面の傾斜面からなる被覆面部５３，５３を有し、さらにその上端には、鉛直状の接続縦片５４，５４を有する形状構成を有する。この接続縦片５４には、ボルト５５を挿通させるための通孔５４１が設けられている。
【００２７】
そして、この押さえ材５では、左右に隣接する押さえ材５，５の接続縦片５４，５４を対向状に臨ませ、前記接続縦片５４，５４を重合させてボルト締め（ボルト５５、ナット５６）することにより、隣り合う押さえ材５，５を強固に連結することができる。
【００２８】
図示実施例では、押さえ材５の内側に、外装構造の凹状嵌合受部１３４に嵌合する取り付け材６を配し、押さえ材５のボルト締めの際に前記取り付け材６も同時に固定することにより、外装構造への強固な取り付けが果たされる。
【００２９】
前記取り付け材６は、図１（ｂ）に示すように前記キャップ材３よりひとまわり大きい外郭形状を構成する左右一対の部材６０，６０からなり、各部材６０は、略傘状の化粧部６１の上端に略垂直状の連結縦片６２を備え、下縁には折返し部６３を備える形状構成を有する。この連結縦片６２には、ボルト５５を挿通させるための通孔５２１が設けられている。
【００３０】
これらの押さえ材５及び取り付け材６としては、長さ寸法は短くてもよく、例えば帯状でもよいが、少なくとも前記外装材１やキャップ材３よりも厚肉の鋼材又はアルミ押出型材を用いたので、外装材１やキャップ材３よりも高強度であり、自らは変形を生ずることなく外装材１やキャップ材３を保持することができる。
【００３１】
そして、この部材６０，６０を前記キャップ材３の上から被せ、前記折返し部６３、６３を前記キャップ材３の折返し部３２，３２と同様に前記外装材１の凹状嵌合受部１３４に嵌合させて取り付けると共に前記連結縦片６２，６２を対向状に臨ませる。この連結縦片６２，６２を、前記押さえ材５，５のボルト締めの際に接続縦片５４，５４間に介在させてボルト締めすることにより、押さえ材５と取り付け材６とが一体化し、外装構造に対して強固に取り付けることができる。その結果、前記重合部分（重合部１４及び被重合部１５）を上方から押圧して外装材１端部の浮き上がりを防ぐことができる。
【００３２】
このように形成される本発明の外装構造は、流れ方向に隣接する外装材１，１の重合部分（重合部１４及び被重合部１５）を、押さえ材５の押圧部５１で上方から押圧状に保持することにより、重合部分（１４，１５）における外装材１端部の浮き上がりを防ぎ、意匠性、雨仕舞に優れた縦葺き外装材の接続を得ることができる。
【００３３】
図２に示す外装構造に用いた外装材１、保持部材２、キャップ材３は、前記図１の外装構造と同様に、既に説明した図３（ａ）〜（ｃ）に示すものである。
この図２に示す外装構造に用いた押さえ材７は、図２（ｂ）に示すように２つの山部に達する長さを有し、谷部の底面を形成する面板部１１に臨む押圧部７１を備え、帯状鋼材を適宜に折曲加工して成形したものであって、略中央に位置する押圧部７１の左右端に傾斜状に立ち上がる傾斜面部７２，７２を有し、その上方には、二面の傾斜面からなる被覆面部７３，７３を有する点では、前記図１の押さえ材５と同様であるが、図示実施例の押さえ材７は、傾斜面部７２と被覆面部７３との間に外装材１の凹状嵌合受部１３４に嵌合する嵌合部７４を有する。また、前記被覆面部７３には、ビス７５を挿通させるための通孔７３１が設けられている。
【００３４】
そして、この押さえ材７では、図２（ｃ）に示すように山部にて前記被覆面部７３を保持部材２（受支材２Ｂ）の支持部（面）２２にビス止め（ビス７５）することにより、外装構造にこの押さえ材７を固定することができ、その上方からキャップ材３を嵌め付けて雨水等の浸入を防止することができる。
なお、押さえ材７の嵌合部７４の嵌合によってキャップ材３の取付けが十分でない場合には、図２（ｄ）に示すように折返し部３２の一部を切除したキャップ材３'を用いるようにしてもよい。
【符号の説明】
【００３５】
１ （縦葺き）外装材
１１ 面板部
１２ 立ち上げ部
１３ 成形部
１３１  凸状嵌合部
１３２  被覆嵌合部
１３３  係合部
１３４  凹状嵌合受部
１４  重合部
１５  被重合部
１６  ビス
２  保持部材
２Ａ  タイトフレーム
２Ｂ  受支材
２０  受支面
２０１  溝部
２１  被嵌合部
２２  支持部（面）
２３  脚部
２４  固定部
３ キャップ材
３１  化粧部
３２  折返し部
４ 下地
５ 押さえ材
５１  押圧部
５２  傾斜面部
５３  被覆面部
５４  接続縦片
６  取り付け材
６１  化粧部
６２  連結縦片
６３  折返し部
７ 押さえ材
７１  押圧部
７２  傾斜面部
７３  被覆面部
７４  嵌合部
７５  ビス
【図１】
2010168760.tif 000003
【図２】
2010168760.tif 000004
【図３】
2010168760.tif 000005